(57)【要約】【課題】  マニュアルシフト時のエンジントルク制御の時間的なズレを解消してショックを防止することのできる無段変速機を搭載した車両の制御装置を提供する。【解決手段】  動力源の出力側に連結された無段変速機の変速比の変化に応じて前記動力源の出力トルクを変化させる無段変速機を搭載した車両の制御装置であって、前記変速比の変化に対して前記動力源の出力トルクの変化が相対的に遅い状態となっていることを判定するトルク変化遅延判定手段（ステップＳ３）と、前記動力源の出力トルクの変化が前記変速比の変化に対して相対的に遅い状態であることが前記トルク変化遅延判定手段によって判定された場合に前記動力源の出力トルクの変化指令値を前記判定が成立しない場合よりも一時的に増大させる出力トルク変化増速手段（ステップＳ６）とを備えている。【選択図】  図１
2005132329.tif 000002
【特許請求の範囲】
【請求項１】
動力源の出力側に連結された無段変速機の変速比の変化に応じて前記動力源の出力トルクを変化させる無段変速機を搭載した車両の制御装置において、
前記変速比の変化に対して前記動力源の出力トルクの変化が相対的に遅い状態となっていることを判定するトルク変化遅延判定手段と、
前記動力源の出力トルクの変化が前記変速比の変化に対して相対的に遅い状態であることが前記トルク変化遅延判定手段によって判定された場合に前記動力源の出力トルクの変化指令値を前記判定が成立しない場合よりも一時的に増大させる出力トルク変化増速手段と
を備えていることを特徴とする無段変速機を搭載した車両の制御装置。
【請求項２】
前記動力源の出力トルクの変化指令値を一時的に増大させる制御の実行条件が成立していることを判断する実行条件判断手段を更に備え、その実行条件の成立していないことが判断された場合には、前記出力トルク変化増速手段による前記変化指令値の一時的な増大を禁止するように構成されていることを特徴とする請求項１に記載の無段変速機を搭載した車両の制御装置。
【請求項３】
前記動力源の出力トルクの変化指令値を一時的に増大させる制御によっても前記変速比の変化に対して前記動力源の出力トルクの変化が相対的に遅い状態が生じることを判定する第２トルク変化遅延判定手段と、
その第２トルク変化遅延判定手段によって前記動力源の出力トルクの変化が相対的に遅い状態の判定が成立した場合に、前記変速の開始を遅延させる変速遅延手段と
を更に備えていることを特徴とする請求項１または２に記載の無段変速機を搭載した車両の制御装置。
【請求項４】
前記出力トルク変化増速手段が、減速時に変速比を増大させるダウンシフトの際に前記動力源の出力トルクを増大させる方向に前記変化指令値を一時的に増大させる手段と、増速時に前記変速比を低下させるアップシフトの際に前記動力源の出力トルクを減少させる方向に前記変化指令値を一時的に増大させる手段との少なくともいずれか一方の手段を含むことを特徴とする請求項１ないし３のいずれかに記載の無段変速機を搭載した車両の制御装置。
【請求項５】
エンジンを含む動力源と、この動力源の出力側に連結された無段変速機と、前記動力源の出力トルクを制御するトルク制御装置とを有し、このトルク制御装置に、前記エンジンのシリンダに供給される圧縮空気の過給圧を制御する過給器が含まれているとともに、前記無段変速機の変速比の変化に応じて、前記トルク制御装置により前記動力源の出力トルクを変化させる制御をおこなう無段変速機を搭載した車両の制御装置において、
前記無段変速機の変速比の変化に対する前記動力源の出力トルクの変化応答性を予測する応答性予測手段と、
この応答性予測手段の予測結果に基づいて、前記無段変速機の変速特性を制御する変速特性制御手段と
を備えていることを特徴とする無段変速機を搭載した車両の制御装置。
【発明の詳細な説明】
【技術分野】
【０００１】
この発明は、車両に搭載された無段変速機の変速比を制御し、あるいは動力源の回転数を制御するために無段変速機の変速比を制御する制御装置に関するものである。
【背景技術】
【０００２】
最近では、ガソリンエンジンなどの車両用内燃機関の回転数を、その出力側に連結した無段変速機によって、燃費が最適（最小）となる回転数に制御することがおこなわれている。これは、無段変速機での変速比を連続的に変化させ得ることに加えて、電子スロットルバルブなどによって内燃機関の出力トルクを電気的に制御できることが要因となっている。したがって無段変速機を搭載した車両では、燃費を重視した変速制御が広くおこなわれており、例えばアクセル開度などで代表される駆動要求量と車速などの車両の駆動状態とに基づいて要求駆動力を求めるとともに、その要求駆動力と車両の駆動状態とに基づいて目標出力を求め、その目標出力に対する最適燃費となる内燃機関の目標回転数（無段変速機の入力回転数）を算出し、その目標回転数となるように無段変速機を制御する。その一方で、目標出力に基づいて内燃機関の目標出力トルクを求め、その目標出力トルクとなるように電子スロットルバルブなどの出力制御機器を制御する。
【０００３】
このような燃費を重視した制御では、駆動トルクの変化が相対的に緩慢になる。そのため、加減速の応答性が必ずしも充分ではない場合が生じる。そこで従来では、アクセル開度の変化率（変化速度）などに応じて変速比を過渡的に急速に変化させることがおこなわれ、さらには変速比を手動操作に基づいて変化させるいわゆる手動変速（マニュアルシフト）が可能なように無段変速機を構成することもおこなわれている。後者の手動変速の可能な装置の一例が特許文献１あるいは特許文献２に記載されている。
【０００４】
特許文献１に記載された発明は、手動シフトした場合に、スポーツ感覚を与えるように、シフト継続中のエンジントルクを変更するように構成されている。また、特許文献２には、アクセルペダルを踏み込むことに伴って、あるいはマニュアル操作によって、無段変速機の変速比を段階的に変化させるアップシフトの場合、慣性トルクを相殺するようにエンジントルクを低下させ、そのトルクダウンが許可されていない場合には、アップシフトの変速速度を低下させるように構成した発明が記載されている。さらに、エンジンの出力側に変速機が連結され、変速時におけるショックを低減するための発明が、特許文献３および特許文献４および特許文献５にも記載されている。
【特許文献１】特公表２００１−５２４１７８号公報
【特許文献２】特開平１１−２０５１３号公報
【特許文献３】特許第２５５９４９３号公報
【特許文献４】特開平５−２５６３５５号公報
【特許文献５】特許第３３２３９７６号公報
【発明の開示】
【発明が解決しようとする課題】
【０００５】
上記の特許文献１に記載された発明では、手動シフトの際にスポーツ感覚を与えようとするものであるから、アクセルペダルを踏み込んで加速し、車速の上昇に伴ってアップシフトする際には、駆動力が要求されていることによりエンジントルクを増大させることになる。また反対に減速操作によって車速が低下し、それに伴ってダウンシフトする場合には、減速度を維持もしくは増大させるために、エンジントルクを低下させることになる。これに対して、特許文献２の発明では、アップシフトの際の慣性トルクを考慮してエンジントルクを低下させるようになっており、したがってエンジントルクの制御の方向としては、上記の特許文献１の発明とは反対になっている。
【０００６】
この種のエンジントルクの制御は、無段変速機による変速に伴う駆動トルクの変化に対応もしくは関連して実行されるものであるから、変速比の変化とエンジントルクの変化とが時間的なズレを生じることなく実行されることが好ましい。しかしながら、無段変速機での変速比の変化は、ベルト式無段変速機にあっては、プーリ幅の変化によって生じるので、例えば変速比を設定するプライマリプーリに対する油圧の供給量もしくは排出量を増大させることにより変速速度を速くすることができるのに対して、内燃機関の出力トルクは、吸入空気量および燃料供給量の増大もしくは減少のみならず、その燃焼が所期通りに生じることにより増大もしくは低下するので、変速速度に対して内燃機関の出力トルクの変化が相対的に遅くなる場合がある。このような場合、上記の特許文献１に記載された制御もしくは特許文献２に記載された制御を実行した場合、変速比の変化と内燃機関の出力トルクが過渡的に不適合状態となって、ショックが生じる可能性がある。
【０００７】
この発明は上記の技術的課題に着目してなされたものであり、変速比の急激な変化に対応して動力源の出力トルクを制御する場合のショックを確実に防止もしくは抑制することのできる制御装置を提供することを目的とするものである。
【課題を解決するための手段】
【０００８】
上記の目的を達成するために、請求項１の発明は、動力源の出力側に連結された無段変速機の変速比の変化に応じて前記動力源の出力トルクを変化させる無段変速機を搭載した車両の制御装置において、前記変速比の変化に対して前記動力源の出力トルクの変化が相対的に遅い状態となっていることを判定するトルク変化遅延判定手段と、前記動力源の出力トルクの変化が前記変速比の変化に対して相対的に遅い状態であることが前記トルク変化遅延判定手段によって判定された場合に前記動力源の出力トルクの変化指令値を前記判定が成立しない場合よりも一時的に増大させる出力トルク変化増速手段とを備えていることを特徴とする制御装置である。
【０００９】
また、請求項２の発明は、前記請求項１の発明において、前記動力源の出力トルクの変化指令値を一時的に増大させる制御の実行条件が成立していることを判断する実行条件判断手段を更に備え、その実行条件の成立していないことが判断された場合には、前記出力トルク変化増速手段による前記変化指令値の一時的な増大を禁止するように構成されていることを特徴とする制御装置である。
【００１０】
さらに、請求項３の発明は、前記請求項１または２の発明において、前記動力源の出力トルクの変化指令値を一時的に増大させる制御によっても前記変速比の変化に対して前記動力源の出力トルクの変化が相対的に遅い状態が生じることを判定する第２トルク変化遅延判定手段と、その第２トルク変化遅延判定手段によって前記動力源の出力トルクの変化が相対的に遅い状態の判定が成立した場合に、前記変速の開始を遅延させる変速遅延手段とを更に備えていることを特徴とする制御装置である。
【００１１】
そして、請求項４の発明は、前記請求項１ないし３のいずれかにおける前記出力トルク変化増速手段が、減速時に変速比を増大させるダウンシフトの際に前記動力源の出力トルクを増大させる方向に前記変化指令値を一時的に増大させる手段と、増速時に前記変速比を低下させるアップシフトの際に前記動力源の出力トルクを減少させる方向に前記変化指令値を一時的に増大させる手段との少なくともいずれか一方の手段を含むことを特徴とする制御装置である。
【００１２】
さらに、請求項５の発明は、エンジンを含む動力源と、この動力源の出力側に連結された無段変速機と、前記動力源の出力トルクを制御するトルク制御装置とを有し、このトルク制御装置に、前記エンジンのシリンダに供給される圧縮空気の過給圧を制御する過給器が含まれているとともに、前記無段変速機の変速比の変化に応じて、前記トルク制御装置により前記動力源の出力トルクを変化させる制御をおこなう無段変速機を搭載した車両の制御装置において、前記無段変速機の変速比の変化に対する前記動力源の出力トルクの変化応答性を予測する応答性予測手段と、この応答性予測手段の予測結果に基づいて、前記無段変速機の変速特性を制御する変速特性制御手段とを備えていることを特徴とする無段変速機を搭載した車両の制御装置である。ここで、無段変速機の変速特性を制御するとは、動力源の出力トルクの変化タイミングと、無段変速機の変速比の変化に伴う慣性トルクまたは制動トルクの発生タイミングとの時間的なズレによるショックを抑制する制御を意味する。
【発明の効果】
【００１３】
請求項１の発明によれば、無段変速機の変速比の変化に応じて動力源の出力トルクを変化させる場合、変速比の変化に対して出力トルクの変化が相対的に遅くなる状態であれば、出力トルクを変化させる変化指令値が一時的に増大させられる。その結果、出力トルクの変化が、変化指令値を増大させない場合に比較して速くなるので、変速比の変化と出力トルクの変化との時間的なズレやそれに起因するショックを防止もしくは抑制することができる。
【００１４】
また、請求項２の発明によれば、実行条件が成立していない場合には、前記変化指令値を一時的に増大させる制御が実行されない。例えば変速比を所定の目標値に向けて変化させている過程で他の目標値に向けて変化させるいわゆる多重変速の場合や動力源の出力トルクを変化させる前回の制御の影響が残っている場合、さらには急減速中の場合などには実行条件が成立しない。そのため、出力トルクの変化が過剰になってショックが生じたり、あるいは減速中に加速するなどの事態を防止することができる。
【００１５】
さらに、請求項３の発明によれば、出力トルクの変化指令値を一時的に増大させても、変速比の変化に対する出力トルクの変化の遅れが解消もしくは是正できない場合には、変速比の変化が遅延されるので、結局は、変速比の変化と出力トルクの変化との時間的なズレやそれに起因するショックを防止もしくは抑制することができる。
【００１６】
そして、請求項４の発明によれば、変速比を増大させるダウンシフトの際に出力トルクを増大させる方向に前記変化指令値が一時的に増大させられるから、変速比の増大に伴って動力源ブレーキ力が作用し始める際に動力源の出力トルクが増大方向に制御されており、その結果、動力源ブレーキ力が作用し始める際の駆動トルクの変化が緩和され、ショックを防止もしくは抑制することができる。また、変速比を低下させるアップシフトの際には、動力源の出力トルクが減少させられるので、変速比が小さくなることによる回転数の低下で生じる慣性トルクに対して動力源の出力トルクが低下し、その結果、慣性トルクが駆動トルクに影響することを防止して、ショックを防止もしくは抑制することができる。
【００１７】
さらに、請求項５の発明によれば、無段変速機で変速比を変更し、かつ、エンジントルクを制御する場合に、無段変速機の変速比の変化に対するエンジントルクの変化応答性が低い場合は、無段変速機の変速開始時期を遅延させ、かつ、無段変速機の変速速度を高速化させることにより、無段変速機における変速比の変化と、エンジントルクの変化との時間的なズレを抑制し、かつ、このズレに起因するショックを防止もしくは抑制することができる。
【発明を実施するための最良の形態】
【００１８】
つぎに、この発明の実施例を図面に基づいて説明する。まず、この発明を適用できる車両のパワートレーン、およびその車両の制御系統を、図４に示す。図４に示す車両Ｖｅにおいては、動力源１と車輪２との間の動力伝達経路に、流体伝動装置３、ロックアップクラッチ４、前後進切り換え機構５、無段変速機６などが設けられている。動力源１としては、例えば、内燃機関または電動機の少なくとも一方を用いることができ、好ましくは電子スロットルバルブ７を備えた内燃機関などの出力を電気的に制御できる機構を備えた内燃機関が使用される。電動機としては、電気エネルギを運動エネルギに変換する力行機能と、運動エネルギを電気エネルギに変換する回生機能とを有するモータ・ジェネレータを用いることが可能である。この実施例では、動力源１として、電子スロットルバルブ７を備えたガソリンエンジンやディーゼルエンジンあるいは天然ガスエンジンなどの内燃機関が用いられている場合について説明する。
【００１９】
この動力源１は、シリンダ（図示せず）およびピストン（図示せず）により形成された燃焼室（図示せず）を有しており、燃料を燃焼させることにより生じた熱エネルギを運動エネルギに変換して出力する原動機である。このために、動力源１は、燃料噴射量制御装置２５と、点火時期制御装置２６と、吸気バルブおよび排気バルブの開閉タイミングおよび開閉量を制御するバルブ制御装置２７とを有している。さらに、動力源１の燃焼室に連通する吸気管２８および排気管２９が設けられている。この吸気管２８に前記電子スロットルバルブ７が設けられており、電子スロットルバルブ７により吸入空気量が制御される。
【００２０】
また、吸気管２８を経由してシリンダ内に圧縮空気を供給するための過給器３０が設けられている。この過給器３０としては、機械駆動方式の過給器または排気タービン方式の過給器のいずれを用いてもよい。機械駆動方式の過給器とは、動力源１のクランクシャフト１Ａの動力により駆動されて、圧縮空気を供給する構造のものである。また、排気タービン方式の過給器とは、排気管２９の排気ガスの運動エネルギにより駆動されて、圧縮空気を供給する構造のものである。この実施例では、過給器３０として、排気タービン方式が用いられている場合を説明する。
【００２１】
この排気タービン方式の過給器３０は、排気管２９に設けられたタービン３１と、このタービン３１と一体回転するように連結され、かつ、吸気管２８に設けられたコンプレッサ３２とを有している。このコンプレッサ３２は、吸気管２８内であって、電子スロットルバルブ７よりも上流に配置されている。また、過給器３０によりシリンダに供給される圧縮空気の圧力、つまり、過給圧を制御する過給圧制御装置３３が設けられている。過給圧制御装置３３としては、例えば、ウェイストゲートバルブを用いることが可能である。このウェイストゲートバルブは、燃焼室から排気管２９に排出される排気ガスの一部を、タービン３１をバイパスさせて排気管２９の外部に排出させる装置である。そして、ウェイストゲートバルブの開度を調整することにより、排気ガスの流動によってタービン３１に与えられる運動エネルギを制御して、過給圧を制御することが可能となっている。
【００２２】
また、流体伝動装置３およびロックアップクラッチ４は、動力源１と前後進切り換え機構５との間の動力伝達経路に設けられており、流体伝動装置３とロックアップクラッチ４とは相互に並列に配置されている。流体伝動装置３は、流体の運動エネルギにより動力を伝達する装置であり、具体的には流体式トルクコンバータであり、ロックアップクラッチ４は、摩擦力により動力を伝達する装置であって、トルクコンバータのポンプインペラなどの入力側の部材とタービンランナなどの出力側の部材とを直接連結するように構成されている。前後進切り換え機構５は、入力されたトルクを選択的に反転して出力する装置であって、例えば遊星歯車機構を主体として構成されている。
【００２３】
無段変速機６は、要は、変速比を連続的に変化させることのできる機構であって、ベルト式あるいはトロイダル型の無段変速機を使用することができる。図４にはベルト式のものが示されており、この無段変速機６は、前後進切り換え機構５と車輪２との間の動力伝達経路に設けられている。無段変速機６についてより具体的に説明すると、相互に平行に配置されたプライマリシャフト８およびセカンダリシャフト９が設けられている。このプライマリシャフト８にはプライマリプーリ１０が設けられており、セカンダリシャフト９にはセカンダリプーリ１１が設けられている。プライマリプーリ１０は、プライマリシャフト８に固定された固定シーブ１２と、プライマリシャフト８の軸線方向に移動できるように構成された可動シーブ１３とを有している。そして、固定シーブ１２と可動シーブ１３との間にＶ字形状の溝Ｍ１が形成されている。
【００２４】
また、この可動シーブ１３をプライマリシャフト８の軸線方向に動作させることにより、可動シーブ１３と固定シーブ１２とを接近・離隔させる油圧サーボ機構１４が設けられている。この油圧サーボ機構１４は、油圧室１５と、油圧室１５のオイル量または油圧に応じてプライマリシャフト８の軸線方向に動作しかつ可動シーブ１３に接続されたピストン（図示せず）とを備えている。
【００２５】
一方、セカンダリプーリ１１は、セカンダリシャフト９に固定された固定シーブ１６と、セカンダリシャフト９の軸線方向に移動できるように構成された可動シーブ１７とを有している。そして、固定シーブ１６と可動シーブ１７との間にはＶ字形状の溝Ｍ２が形成されている。そして、これらの溝Ｍ１，Ｍ２に挟持された状態でベルト１８が各プーリ１０，１１に巻き掛けられている。
【００２６】
また、この可動シーブ１７をセカンダリシャフト９の軸線方向に動作させることにより、可動シーブ１７と固定シーブ１６とを接近・離隔させる油圧サーボ機構１９が設けられている。この油圧サーボ機構１９は、油圧室２０と、油圧室２０の油圧またはオイル量に応じてセカンダリシャフト９の軸線方向に動作しかつ可動シーブ１７に接続されたピストン（図示せず）とを備えている。
【００２７】
一方、無段変速機６の油圧サーボ機構１４，１９およびロックアップクラッチ４、および前後進切り換え機構５を制御する機能を有する油圧制御装置２１が設けられている。さらに、動力源１、ロックアップクラッチ４、前後進切り換え機構５、無段変速機６、油圧制御装置２１を制御するコントローラとしての電子制御装置２２が設けられており、この電子制御装置２２は、演算処理装置（ＣＰＵまたはＭＰＵ）および記憶装置（ＲＡＭおよびＲＯＭ）ならびに入出力インターフェースを主体とするマイクロコンピュータにより構成されている。前記油圧制御装置２１は、ソレノイドバルブおよび油圧回路を有しているとともに、ソレノイドバルブのデューティ値を制御することにより、油圧室１５，２０に供給されるオイル量、および油圧室１５，２０から排出されるオイル量が制御される構成となっている。
【００２８】
図４に示す無段変速機６の変速比を車両Ｖｅの走行状態、すなわちアクセル開度や車速などに基づいて制御する自動変速制御と、手動操作に基づいて変速を実行する手動変速（マニュアルシフト）制御とを実行できるように構成されている。シフト装置２３は、その自動変速制御と手動変速制御とを選択するように構成されている。その一例を説明すると、シフトレバー２４をガイドするガイド溝が図４に模式的に示すように変形したＨ字形に形成され、一方の直線部分にパーキングポジション（Ｐ）、リバースポジション、ニュートラルポジション、ドライブポジション（Ｄ）、ブレーキポジション（Ｂ）が割り付けられ、かつドライブポジションから分岐した他方の直線部分の中央部がマニュアルポジション（Ｍ）に割り付けられ、このマニュアルポジションを挟んでアップシフトポジション（＋）とダウンシフトポジション（−）とが設けられている。そして、各ポジションを検出するスイッチなどのセンサ（図示せず）が設けられており、そのセンサの出力信号が前記電子制御装置２２に入力されている。また、シフトレバーの移動を前記油圧制御装置２１に伝達するためのケーブルなどのリンゲージ（図示せず）が設けられている。
【００２９】
上記の電子制御装置２２に入力される信号を例示すると、エンジン回転数、アクセルペダルの操作状態、ブレーキペダルの操作状態、スロットルバルブ７の開度、プライマリシャフト８の回転数、セカンダリシャフト９の回転数、油圧制御装置２１のソレノイドバルブのフェールの有無、エンジン１の吸入空気量、登坂路か否かなどを検知するセンサの信号、シフト装置２３で選択されているシフトポジションを示す信号、前記アップシフトポジションに設けられたセンサからのアップシフト信号、前記ダウンシフトポジションに設けられているセンサからのダウンシフト信号、過給圧を検知するセンサの信号などである。また、電子制御装置２２には各種のデータが記憶されており、電子制御装置２２に入力される信号、および記憶されているデータに基づいて、電子制御装置２２から、動力源１を制御する信号、無段変速機６を制御する信号、前後進切り換え機構５を制御する信号、ロックアップクラッチ４を制御する信号、油圧制御装置２１を制御する信号などが出力される。
【００３０】
電子制御装置２２に記憶されているデータとしては、エンジントルク制御マップ、変速機制御マップ、ロックアップクラッチ制御マップなどが挙げられる。エンジントルク制御マップは、例えば電子スロットルバルブ７の制御量の一時的な増大量を設定したマップである。また、変速機制御マップには、変速比の制御マップ、トルク容量の制御マップなどが含まれる。変速比制御マップは、車速、アクセル開度、減速度もしくはブレーキの操作状態などに基づいて、無段変速機６の変速比もしくは動力源１の目標回転数を設定するマップである。動力源１としてエンジンが用いられている場合は、無段変速機６の変速比の制御により、エンジン回転数を最適燃費曲線に近づけるように制御できる。なお、この回転数制御は、主として目標回転数と実回転数との偏差に基づくフィードバック制御によっておこなわれ、必要に応じてフィードフォワード制御が実行もしくは併用される。トルク容量制御マップは、変速比、伝達するべきトルクなどに基づいて、無段変速機６のトルク容量を制御する場合に用いるマップである。また、ロックアップクラッチ制御マップは、車速、アクセル開度などに基づいて、ロックアップクラッチ４のトルク容量を設定するマップである。
【００３１】
上述したように、無段変速機６は動力源１の回転数を燃費が最適になる回転数に制御するように機能させることができる。このいわゆる通常の制御では、一例として、アクセル開度などで代表される駆動要求量と車速とに基づいて適宜のマップから要求駆動力を求め、その要求駆動力と車速とから動力源の目標出力を算出する。その目標出力を最適燃費で出力することのできる目標回転数をいわゆる最適燃費線と目標出力線との交点での回転数としてマップなどから求め、その目標回転数と実際の動力源回転数との差を制御偏差して無段変速機６の変速比がフィードバック制御される。一方、目標出力とその時点の車速などに基づいて目標トルクが算出され、その目標トルクを達成するように電子スロットルバルブ７などによって動力源１の出力トルクが制御される。
【００３２】
このいわゆる通常制御は、車速や流体伝動装置３のタービン回転数などとアクセル開度などの要求駆動量とで定まる走行状態に基づいて無段変速機６を制御するものであるが、無段変速機６の変速比の制御としては、手動操作に基づく制御も可能である。その制御は、シフト装置２３のアップシフトポジションあるいはダウンシフトポジションに設けられているスイッチもしくはセンサを、シフトレバーによってオン動作させて信号を出力させ、その信号に基づいて、動力源１の目標回転数をステップ的に変化させ、あるいは信号の出力している間、目標回転数を連続的に変化させる制御である。このような変速制御が、手動変速制御（マニュアルシフト制御）である。
【００３３】
手動変速操作は、車両の機敏な動作を期待して実行するから、変速速度（変速比変化率）が大きくなるように無段変速機６が制御される。例えば、減速時にマニュアルダウンシフト操作した場合には、変速比を通常より速い速度で増大させる。また反対に加速中にマニュアルアップシフト操作した場合には、通常より速い速度で変速比を減少させる。
【００３４】
また、このようなマニュアルシフトの場合、変速速度が速いので、ショックを緩和もしくは防止するために、エンジントルクの制御が併せて実行される。具体的には、減速時のマニュアルダウンシフトの場合には、エンジントルクを迅速に増大させる制御が実行される。これは、図４に示す車両では、電子スロットルバルブ７の開度を増大させ、その後、徐々に復帰させる制御である。このエンジントルク制御が変速制御と協調して実行されると、変速比の増大に伴ういわゆるエンジンブレーキ力を、エンジントルクの制御によって小さくし、変速比が急激に増大することによる駆動トルクの変化を抑制してショックが防止もしくは緩和される。また、マニュアルアップシフトの場合、変速比が急激に小さくなることによって動力源１やこれに関連する回転部材の回転数が減少して慣性トルクが発生し、これがショックの原因となるので、その慣性トルクを相殺するようにエンジントルクが低下させられる。このようにエンジントルクの制御も、通常のマニュアルシフト制御に含まれる。
【００３５】
上記のマニュアルシフト制御とそれに伴うエンジントルク制御とがタイミングのズレを生じることなく協調して実行されると、それぞれの制御による駆動トルクの変動要因が相互に作用してショックが防止もしくは抑制される。しかしながら、無段変速機６での変速制御は、前述したプライマリプーリ１１側の油圧室１５に圧油を給排することにより実行されるのに対して、動力源（エンジン）１の出力トルクは、燃料の供給量や吸入空気量の変化の後、その混合気の燃焼の変化が生じた後に変化し、それぞれの変化が相対的に緩慢であることと相俟って、エンジントルクの変化が、変速比の変化に対して遅延する場合がある。すなわち、変速比の変化に対してエンジントルクの変化が相対的に遅延する場合がある。このような場合には、変速比の変化に起因する駆動トルクの変化を、エンジントルクの変化によって抑制することができなくなるので、ショックが悪化する。そこでこの発明の制御装置は、以下の制御を実行するように構成されている。
【００３６】
図１はその制御の一例を説明するためのフローチャートであって、このフローチャートで示されるルーチンは、所定の短時間毎に繰り返し実行される。図１において、先ず、マニュアルダウン操作時か否かが判断される（ステップＳ１）。これは、前述したシフト装置２３におけるアップシフトポジションもしくはダウンシフトポジションのセンサが信号を出力したか否かによって判断することができる。このステップＳ１で肯定的に判断された場合には、電子スロットルバルブ（電スロ）７の制御が許可されているか否かが判断される（ステップＳ２）。エンジンの暖機が終了していない場合や排気浄化触媒の温度が高くなっている場合などでは電子スロットルバルブ７の制御が禁止される。ステップＳ２ではこのようないわゆる禁止条件が成立しているか否かが判断される。
【００３７】
ステップＳ２で否定的に判断された場合には、特に制御をおこなうことなくこのルーチンを一旦終了する。これに対してステップＳ２で肯定的に判断された場合には、変速に比べて電子スロットルバルブ７の応答性が遅い領域（遅い状態）か否かが判断される（ステップＳ３）。この応答性は、電子スロットルバルブ７自体の応答性だけではなく、要は、エンジントルクの制御指令の出力に対する実際のエンジントルクの変化の応答性である。その応答性は、例えば現在時点のスロットル開度やエンジン回転数などに基づいて判断することができる。
【００３８】
変速に比べて電子スロットルバルブ７の応答性が遅いことがステップＳ３で判断された場合、すなわちステップＳ３で肯定的に判断された場合には、電子スロットルバルブ７に対する指令値を一時的に増大させる制御の実行条件が成立しているか否かが判断される。具体的には、先ず、マニュアルダウンシフトが多重変速か否か、あるいはスロットル開度を増大させる前回の要求の終了から所定期間内か否かが判断される（ステップＳ４）。多重変速とは、所定の変速比（もしくは入力回転数）を目標とした変速制御中に他の変速比（もしくは入力回転数）を目標とする変速が生じる変速状態である。このような状態では、変速比の変化が重畳的に生じ、それぞれに応じて電子スロットルバルブ７に対する指令値を一時的に増大させる制御を実行すると、制御が錯綜して安定した制御ができない可能性がある。また、スロットル開度を増大させる前回の要求の終了から所定期間内では、エンジントルクが安定していない場合があり、その影響でエンジントルクを所期どおりに制御できない可能性がある。そのために、多重変速でないこと、スロットル開度を増大させる前回の要求の終了から所定期間内でないことを実行条件としたのである。
【００３９】
また、急減速中か否かが判断される（ステップＳ５）。これは、例えば車輪の回転数や出力軸の回転数の変化率に基づいて判断することができる。急減速状態となっていれば、マニュアルダウンシフト操作によって達成するべき減速状態が生じているので、それ以上に駆動トルクを低下させる必要がない。したがって急減速中でないことを実行条件としたのである。
【００４０】
したがってステップＳ４あるいはステップＳ５で肯定的に判断された場合には、特に制御をおこなうことなくこのルーチンを一旦終了する。これとは反対にステップＳ４およびステップＳ５で否定的に判断された場合には、ファーストオープンを実施する（ステップＳ６）。
【００４１】
マニュアルダウンシフトは、シフト装置２３が手動操作されることにより変速比を急速に増大させる変速制御であり、その場合、動力源１の出力トルクが変化しないと、変速比の増大による制動トルクが急激に増大し、これがショックの要因となるので、マニュアルダウンシフトの開始時に動力源１の出力トルクを増大させ、その後に動力源１の出力トルクを元のトルクに戻す制御が実行される。その制御による動力源１の出力トルクの増大が変速に対して遅延することが上記のステップＳ３で判断されているので、その遅延を解消もしくは抑制する制御が実行される。これがファーストオープン制御である。
【００４２】
具体的には、制御開始当初の動力源１の出力トルクの変化指令値（すなわち電子スロットルバルブ７に対する開度増大指令値）を、通常のマニュアルダウンシフト時における値より、一時的に増大させる。その増大量や増大の継続時間などは、予め定めた一定値であってもよく、あるいは車両の走行状態もしくは前記遅延の状態に応じて求めたものであってもよい。電子スロットルバルブ７に対する指令値が一時的に増大させられることにより、エンジンに対する吸入空気量や燃料の供給量が、通常より一時的に増大させられ、その結果、動力源１の出力トルクの増大が通常より速くなり、変速に対する動力源１の出力トルクの増大の遅延が解消もしくは緩和される。
【００４３】
ついで、上記のファーストオープン制御を実行しても変速に対する動力源１の出力トルクの変化の遅延が解消されないか否か（すなわち、間に合わないか否か）が判断される（ステップＳ７）。このステップＳ７で否定的に判断された場合には、一旦、このルーチンを終了する。これとは反対にステップＳ７で肯定的に判断された場合には、手動操作に伴う変速の開始を遅延させる変速開始ディレイ制御が実行される（ステップＳ８）。これは、無段変速機６に対する変速指令信号の出力を時間的に遅らせることによって実行される。その遅れ時間は一定値であってもよく、マニュアルダウンシフトの内容に応じて変化する時間であってもよい。
【００４４】
マニュアルダウン操作がおこなわれることにより上記の各判断や制御が開始されると、上記のステップＳ１で否定的に判断される。その場合は、マニュアルダウン変速開始ディレイ中か否か、すなわち上記のステップＳ８での制御の実行中か否かが判断される（ステップＳ９）。前述したファーストオープンによってエンジントルクの変化の相対的な遅延が解消される場合には、変速開始ディレイ制御が実行されていないので、このステップＳ９で否定的に判断される。その場合には、マニュアルダウン変速中か否かが判断される（ステップＳ１０）。既にマニュアルダウン変速が終了していれば、このステップＳ１０で否定的に判断され、その場合は直ちにこのルーチンを終了する。これに対して、マニュアルダウン変速の制御が継続していれば、ステップＳ１０で肯定的に判断される。その場合、上記のファーストオープン制御の実施中か否かが判断される（ステップＳ１１）。
【００４５】
前述したようにファーストオープン制御は所定時間の間を「一時的」として実行されるから、その所定時間が経過していない状態すなわち制御開始直後では、このステップＳ１１で肯定的に判断され、その場合は、ファーストオープン制御の開始から所定時間が経過したか否かが判断される（ステップＳ１２）。その所定時間が経過していないことによりステップＳ１２で否定的に判断された場合には、ファーストオープン制御を継続する（ステップＳ１３）。その後、一旦、このルーチンを終了する。
【００４６】
こうしてファーストオープン制御が所定時間継続して実行されると、ステップＳ１２で肯定的に判断され、その場合は、ファーストオープン制御を終了して通常のトルクアップ要求制御が実施される（ステップＳ１４）。すなわち、マニュアルダウンシフトに伴って通常実施される動力源１の出力トルクの増大制御に移行する。具体的には、電子スロットルバルブ７の開度を通常制御以上に増大させる指令信号の出力を中止し、通常のトルクアップ制御指令信号を出力する。この時点では、変速比の増大と協調して動力源１の出力トルクが増大しているので、電子スロットルバルブ７に対する指令信号を通常のマニュアルダウンシフト時の信号に戻しても、エンジンブレーキ力が過大になってショックが生じるなどの事態が回避もしくは抑制される。
【００４７】
一方、マニュアルダウン変速開始ディレイ制御が実行されていてステップＳ９で肯定的に判断された場合には、そのディレイ制御の開始から所定時間が経過したか否かが判断される（ステップＳ１５）。この所定時間は、マニュアルダウンシフト変速開始ディレイ制御の継続時間として予め設定されている時間である。制御開始当初は、時間が経過していないので、このステップＳ１５で否定的に判断され、その場合は、前述したステップＳ１１に進み、ファーストオープン制御が継続される。これに対して、時間が経過したことによってステップＳ１５で肯定的に判断された場合には、動力源１の出力トルク制御の遅延に応じた時間が経過したことになるので、上記のディレイ制御が終了させられる（ステップＳ１６）。
【００４８】
ついで、ステップＳ１１に進み、前述したファーストオープン制御およびその後の通常のトルクアップ要求に基づく制御が実行される。したがって、ファーストオープン制御によって動力源１の出力トルクの増大がマニュアルダウンシフトに間に合わない場合には、変速自体が遅延させられるので、動力源１の出力トルクの変化と変速との時間的なズレが解消もしくは抑制され、その結果、変速比が増大した時点では動力源１の出力トルクが増大していて駆動トルクの変化すなわちショックが防止もしくは緩和される。
【００４９】
なお、上述したステップＳ３で否定的に判断された場合、すなわち動力源１のトルクの変化が変速に対して遅れない場合には、ステップＳ１４に進んで通常のトルクアップ制御が実施される。
【００５０】
手動変速が可能な状態すなわちマニュアルレンジでは、変速が手動操作に基づいて実行されるから、手動操作されない状態では、変速比が従前のまま維持される。したがってマニュアルレンジでアクセルペダル（図示せず）を踏み込んで加速し、その結果、動力源１の回転数が増大した場合、手動でアップシフト操作をおこない、変速比および動力源１の回転数を低下させることになる。その場合においても、いわゆるマニュアルアップシフトであるから、運転者の要求を満たすように変速速度がいわゆる自動変速の場合に比較して速くなり、それに伴う回転数変化で慣性トルクが生じる。
【００５１】
その慣性トルクに起因するショックを防止するために、通常のマニュアルアップシフト制御では、動力源１の出力トルクが、過渡的に、低下させられる。そのマニュアルアップシフトの際の変速速度が車両の状態などに応じて速くなった場合、動力源１の出力トルクの変化が相対的に遅延することがあり、そこでこの発明の制御装置では、マニュアルアップシフトの場合にも、動力源１のトルクの変化指令値を一時的に増大させるいわゆる特別制御が、マニュアルダウンシフトの場合と同様に実行される。
【００５２】
図２はその制御例を説明するためのフローチャートであって、先ず、マニュアルアップ操作時か否かが判断される（ステップＳ２１）。これは、前述した図１のステップＳ１での判断と同様に、前述したシフト装置２３から出力される信号に基づいて判断することができる。このステップＳ２１で否定的に判断された場合には、特に制御をおこなうことなくこのルーチンを一旦終了する。これに対してステップＳ２１で肯定的に判断された場合には、電子スロットルバルブ７を制御できる条件が成立しているか否かが判断される（ステップＳ２２）。これは、前述した図１におけるステップＳ２の判断と同様にしておこなうことができる。
【００５３】
ステップＳ２２で否定的に判断された場合には、特に制御をおこなうことなくこのルーチンを一旦終了する。これに対してステップＳ２２で肯定的に判断された場合には、通常の電子スロットルバルブ７の閉じ制御が実施される（ステップＳ２３）。すなわち、マニュアルアップシフトの際に変速比の低下に伴う動力源１などの回転数の低下に伴う慣性トルクを相殺するように、動力源１の出力トルクを低下させる制御が、このステップＳ２３での制御であり、したがってその電子スロットルバルブ７の閉じ制御によるスロットル開度の減少量は、一定値として予め定められ、あるいは変速速度やエンジン回転数などによって予め定められている。
【００５４】
ついで、変速に対する動力源１のトルクの変化の遅延が判断される（ステップＳ２４）。具体的には、変速に比べて電子スロットルバルブ７の応答性が遅い領域（遅延する状態）か否かが判断される。これは、前述した図１に示すステップＳ３での判断と同様にしておこなうことができる。このステップＳ２４で否定的に判断された場合には、通常のマニュアルアップシフト制御を実行すればよいから、図２に示すルーチンでは特に制御をおこなうことなく、一旦、終了する。
【００５５】
これに対してステップＳ２４で肯定的に判断された場合には、動力源１のトルクを変化させる指令値を一時的に増大させる制御を実行する条件の成立が判断される（ステップＳ２５）。これは、前述した図１におけるステップＳ４と同様の判断であり、マニュアルアップシフトが多重変速か否か、あるいはスロットル開度の前回の閉じ要求の終了から所定期間内か否かが判断される。このステップＳ２５で肯定的に判断された場合には、実行条件が成立していないことになるので、特に制御をおこなうことなくこのルーチンを一旦終了する。すなわち通常の電子スロットルバルブ７の閉じ制御が実行される。
【００５６】
これとは反対にステップＳ２５で否定的に判断された場合には、実行条件が成立していることになるので、ファーストクローズ制御が実施される（ステップＳ２６）。これは、前述したファーストオープン制御とは反対の制御であって、動力源１の出力トルクを迅速に低下させるために、電子スロットルバルブ７を閉じるための指令値を一時的に増大（閉じ方向に増大）させる制御である。すなわち指令値を大きくすることにより、電子スロットルバルブ７を迅速に動作させ、動力源１のトルクの低下を速める制御である。なお、その指令値の増大量やその継続時間は、予め定めた一定値であってもよく、あるいは動力源１の出力トルクの遅れの程度や車両の走行状態に基づいて定められる値であってもよい。
【００５７】
図３は、上記の図２に示す制御を実施した場合と実施しない場合とを比較して示す模式的なタイムチャートである。マニュアルアップシフト制御の開始に伴ってスロットル開度を閉じる方向の指令値が出力される。通常の制御では、図３に破線で示す指令値となるが、電子スロットルバルブ７の応答性の遅れが判断されている場合には、上記のファーストクローズ制御が実行されて、指令値が閉じ方向に増大させられる。その結果、動力源１のトルクが実線で示すように、遅れを生じることなく低下し、これがアップシフトに伴う慣性トルクを相殺するように作用するので、前後加速度（前後Ｇ）として把握されるショックが防止もしくは抑制される。ファーストクローズ制御は一時的な制御であり、したがってスロットル開度についての指令値は、その後、通常制御の値に戻され、かつ次第にスロットル開度を開くように指令値が減少し、閉じ要求を反映しないスロットル開度に戻される。
【００５８】
これに対して図２に示すファーストクローズ制御を実行しない場合には、動力源１のトルクの低下に遅れが生じるので、変速比の低下に伴う慣性トルクが駆動トルクに現れてしまい、図３に破線で示すように、ショックが大きくなってしまう。
【００５９】
ここで、上述した具体例とこの発明との関係を簡単に説明すると、上述したステップＳ３およびステップＳ２４の機能的手段が、この発明のトルク変化遅延判定手段に相当し、ステップＳ６およびステップＳ２６の機能的手段が、この発明の出力トルク変化増速手段に相当し、ステップＳ４およびステップＳ５ならびにステップＳ２５の機能的手段が、この発明の実行条件判断手段に相当し、さらにステップＳ７の機能的手段が、この発明の第２トルク変化遅延判定手段に相当し、そしてステップＳ８の機能的手段が、この発明の変速遅延手段に相当する。
【００６０】
なお、この発明は、上記の具体例に限定されないのであって、無段変速機はベルト式以外にトロイダル型のものであってもよい。また、動力源の出力トルクを変化させる手段は上記の電子スロットルバルブが一般的であるが、この発明ではこれに限らず、点火時期の遅延制御やハイブリッド車では電動機によるトルク制御などを単独で使用し、もしくは電子スロットルバルブの制御と併用してもよい。
【００６１】
つぎに、この発明における制御装置で実行可能な制御プログラムの他の例を、図５のフローチャートに基づいて説明する。図５に示す制御プログラムは、請求項５の発明に対応するプログラムである。この図５のプログラムを説明するにあたり、動力源１を便宜上、エンジン１と記す。前述のように、マニュアルダウンシフトがおこなわれる場合は、無段変速機６の変速比が大きくなることにともない、制動トルクが急激に増大してショックが生じることを防止するために、エンジントルクを増大する制御、すなわちトルクアップ制御が実行される。
【００６２】
これに対して、マニュアルアップシフトがおこなわれる場合は、無段変速機６の変速比が小さくなることにともない慣性トルクが生じ、その慣性トルクに起因するショックを抑制するために、エンジントルクを低下させる制御、すなわちトルクダウン制御が実行される。なお、マニュアルシフト操作に応じてエンジントルクをダウンする場合、またはエンジントルクをアップする場合は、過給圧、吸入空気量、点火時期遅角量、燃料噴射量、バルブ開閉タイミングまたはバルブ開閉量などのパラメータのうち、少なくとも１つが制御される。そして、この図５の制御プログラムは、マニュアルシフトにともないトルクダウン制御およびトルクアップ制御を実行する場合に開始されるプログラムの一例である。
【００６３】
図５のプログラムは、電子スロットルバルブ７の制御により、トルクダウン制御またはトルクアップ制御を実行する場合を示しており、エンジントルクの制御応答性が予測される（ステップＳ３１）。このステップＳ３１の処理内容は、具体的には次のようなものである。まず、スロットル開度とエンジン回転数とをパラメータとするエンジントルクマップに基づいて、エンジン１の運転状態が定常状態である場合、つまり、エンジン回転数が略一定である場合におけるエンジントルクＴＱＢが求められる。ついで、吸気管２８における空気の吸入負荷率ＫＬと、エンジン回転数によるエンジントルクマップに基づいて、現在の実エンジントルクＴＱが求められる。前記吸入負荷率ＫＬは過給圧を考慮したものである。
【００６４】
ついで、エンジントルクＴＱＢと実エンジントルクＴＱとの差ＤＴＱが求められる。さらに、この差ＤＴＱによる１次元マップに基づいて、エンジントルクの応答感度が求められる。なお、過給器３０の回転数、エンジン回転数、スロットル開度による３次元マップに基づいて、エンジントルクの応答感度を求めることも可能である。このステップＳ３１の処理では、電子スロットルバルブ７の開度の経年変化、ウェイストゲートバルブの開度の経年変化などを考慮して、エンジントルクの応答性を予測するという学習制御機能を持たせることも可能である。
【００６５】
上記のステップＳ３１についで、マニュアル変速に伴うエンジントルクのアップ制御またはダウン制御が許可されているか否かが判断される（ステップＳ３２）。例えば、エンジン１の暖機が終了している場合や、排気管２９に設けられた排気浄化触媒（図示せず）の温度が所定温度以下である場合は、エンジントルクのアップ制御またはダウン制御が許可される。そして、ステップＳ３２で肯定的に判断された場合は、マニュアルシフト操作が実行されたか否かが判断される（ステップＳ３３）。マニュアルシフトは、アップシフトまたはダウンシフトのいずれでもよい。このステップＳ３３で肯定的に判断された場合は、無段変速機６の変速速度を高速化することが許可されるか否かが判断される（ステップＳ３４）。
【００６６】
例えば、ステップＳ３１で予測されたエンジントルクの応答性による１次元マップに基づいて、無段変速機６の変速速度の目標高速値が求めることが可能である。また、エンジン回転数が略一定である場合における無段変速機６の変速速度を、エンジントルクの応答感度で除算して、目標高速値を求めることも可能である。このようにして求められた変速速度の目標高速値を達成可能であるか否かが判断され、変速速度の高速値を達成可能である場合は、前記無段変速機６の変速速度の高速化が許可される。ここで、変速速度の目標高速値を達成可能であるか否かは、例えば、油温などに基づいて判断可能である。その理由は、油温が作動油の粘度に影響を及ぼし、作動油の温度に応じて、油圧室１５に供給されるオイル量、または油圧室１５から排出されるオイル量に影響を及ぼすからである。
【００６７】
前記ステップＳ３４で肯定的に判断された場合は、ステップＳ３１で予測されたエンジントルクの応答性に応じて、無段変速機６の変速開始ディレイ時間が設定される（ステップＳ３５）。ここで、無段変速機６の変速開始ディレイとは、マニュアルシフト操作に応じて無段変速機６で変速を実行する場合に、変速の開始タイミングを遅延させることを意味する。無段変速機６の変速開始タイミングを、基準開始タイミングに比べてどの程度遅延させるか、すなわち、変速開始ディレイ時間は、例えば、以下のような第１の算出方法または第２の算出方法により算出される。
【００６８】
まず、第１の算出方法について説明する。マニュアルシフト操作時において、変速を制御するソレノイドバルブにおけるデューティ値の予測結果と、油圧室１５の目標油圧と実油圧との差圧とに基づいて、油圧室１５から排出されるオイルの流量、または油圧室１５に供給されるオイルの流量が予測される。そして、油圧室１５から排出されるオイルの流量、または油圧室１５に供給されるオイルの流量と、前記エンジントルクの応答感度とに基づいて、変速開始ディレイ時間が求められる。
【００６９】
また、変速開始ディレイ時間の第２の算出方法では、マニュアルシフト操作時におけるエンジントルクの応答感度と、エンジン回転数が略一定である場合における変速ディレイ時間とを乗算して、エンジントルク応答性に応じた変速開始ディレイ時間を求める。ここで、エンジン回転数が略一定である場合における変速ディレイ時間は、以下のようにして算出される。エンジン回転数が略一定である場合に、変速制御用ソレノイドバルブを制御するデューティ値の予測結果と、油圧室１５の目標油圧と実油圧との差圧とに基づいて、油圧室１５から排出されるオイルの流量、または油圧室１５に供給されるオイルの流量を予測するとともに、油圧室１５から排出されるオイルの流量、または油圧室１５に供給されるオイルの流量と、前記エンジントルクの応答感度とに基づいて、エンジン回転数が略一定である場合における変速ディレイ時間が算出される。
【００７０】
前記ステップＳ３５についで、ファーストトルクアップ時間またはファーストトルクダウン時間が設定される（ステップＳ３６）。ここで、「ファーストトルクアップ」とは、マニュアルダウンシフトの開始時に、エンジントルクを増大させ、その後にエンジントルクを低下させる制御を意味し、「ファーストトルクアップ時間」とは、エンジントルクの増大を開始する時点から、エンジントルクを低下させる時点までの時間を意味する。また、電子スロットルバルブ７の制御により、ファーストトルクアップまたはファーストトルクダウンをおこなう場合、ファーストトルクアップ時間またはファーストトルクダウン時間は、ステップＳ３１で予測されたエンジントルク応答性に基づいて設定される。
【００７１】
なお、ステップＳ３６において、ファーストトルクアップ時間またはファーストトルクダウン時間を、第１の算出方法または第２の算出方法により算出することも可能である。第１の算出方法は、マニュアルシフト操作時におけるエンジントルクの応答性と、トルクダウン要求量およびトルクアップ要求量との関係を示すマップに基づいて、ファーストトルクアップ時間またはファーストトルクダウン時間を求める方法である。これに対して、第２の算出方法は、マニュアルシフト操作時におけるエンジントルクの応答性と、エンジン回転数が略一定である場合におけるファーストトルクダウン時間またはファーストトルクアップ時間とを乗算して、ファーストトルクアップ時間またはファーストトルクダウン時間を求める方法である。
【００７２】
前述のように、過給圧の制御により、ファーストトルクアップまたはファーストトルクダウンをおこなう場合、または、点火時期遅角制御により、ファーストトルクダウンをおこなう場合、または、燃料噴射量制御により、ファーストトルクアップまたはファーストトルクダウンをおこなう場合、または、バルブ開閉タイミングまたは開閉量の制御により、ファーストトルクアップまたはファーストトルクダウンをおこなう場合は、ステップＳ３６で、この第１の算出方法または第２の算出方法が用いられる。
【００７３】
上記のステップＳ３６についで、ステップＳ３１で予測されたエンジントルクの応答性に応じて、無段変速機６の変速速度を設定し（ステップＳ３７）、プログラムを終了する。このステップＳ３７で設定される無段変速機６の変速速度は、ステップＳ３４の処理で説明した「無段変速機６の変速速度の目標高速値」である。なお、前記ステップＳ３４で否定的に判断された場合は、ステップＳ３７に進む。ここで、ステップＳ３５，Ｓ３６を経由してステップＳ３７に進んだ場合に設定される変速速度よりも、ステップＳ３４で否定的に判断されてステップＳ３７で設定される変速速度の方が高速である。さらに、前記ステップＳ３２で否定的に判断された場合は、このプログラムを終了する。
【００７４】
このように、ステップＳ３１ないしステップＳ３７の処理を実行することにより、無段変速機６の変速比の変化に対するエンジントルクの変化応答性に基づいて、無段変速機６の変速速度を設定する制御、または無段変速機６で変速を開始するタイミングを遅延させる制御を実行することにより、無段変速機６の変速比の変化と、エンジントルクの変化との時間的なズレや、時間的なズレに起因するショックを、防止もしくは抑制することができる。
【００７５】
また、電子スロットルバルブ７の開度を調整してエンジントルクを制御する場合、ファーストトルクダウン時間またはファーストトルクアップ時間を、エンジントルクの応答性に合わせて設定することが可能であるため、エンジントルクの制御タイミングと、無段変速機６の変速に伴う慣性トルクまたは制動トルクの発生タイミングとがずれることを抑制できる。したがって、無段変速機６のマニュアルシフトを実行する場合のショックを抑制することができる。
【００７６】
一方、前記ステップＳ３３で否定的に判断された場合は、マニュアルシフト操作に応じたマニュアルダウンシフトまたマニュアルアップシフトが、現在実行中であるか否かが判断される（ステップＳ３８）。このステップＳ３８で否定的に判断された場合は、マニュアル変速のディレイ途中であるか否か、つまり、マニュアルシフト変速の開始前であるか否かが判断される（ステップＳ３９）。このステップＳ３９で肯定的に判断された場合は、マニュアル変速のディレイ時間がスタートしてから、所定時間が経過したか否かが判断される（ステップＳ４０）。このステップＳ４０で肯定的に判断された場合は、マニュアル変速の開始をディレイさせる制御を終了し（ステップＳ４１）、このプログラムを終了する。なお、ステップＳ３９で否定的に判断された場合、またはステップＳ４０で否定的に判断された場合は、共にこのプログラムを終了する。
【００７７】
一方、前記ステップＳ４１を実行した後に、前記ステップＳ３８に進んだ場合は、ステップＳ３８で肯定的に判断されて、ファーストトルクアップまたはファーストトルクダウンを現在実施中であるか否かが判断される（ステップＳ４２）。このステップＳ４２で肯定的に判断された場合は、ファーストトルクアップまたはファーストトルクダウンを開始された時点から、所定時間が経過したか否かが判断される（ステップＳ４３）。
【００７８】
このステップＳ４３で否定的に判断された場合は、過給圧に応じてトルクダウンまたはトルクアップの要求量が設定される（ステップＳ４４）。また、ステップＳ４２で否定的に判断された場合も、ステップＳ４４に進む。ここで、ステップＳ４２で肯定的に判断された場合に、既に実施されているトルクダウン量またはトルクアップ量と、ステップＳ４４で設定されるトルクダウン量またはトルクアップ量とは、同じ要求量である。
【００７９】
前記ステップＳ４４についで、ステップＳ３１で予測されたエンジントルクの応答性に基づいて、復帰制御の開始タイミングが設定される（ステップＳ４５）。この復帰制御とは、ファーストトルクアップまたはファーストトルクダウンを終了させて、元のエンジントルクに戻す制御を意味する。このステップＳ４５においては、以下のようにして、復帰制御の開始タイミングが判定される。
【００８０】
復帰制御の開始タイミング＝｜ＮＩＮ−ＮＩＮＴ｜＜ｄｌｔｎｉｎ＊Ｋ
【００８１】
ここで、ＮＩＮは、無段変速機６の実入力回転数であり、ＮＩＮＴは、無段変速機６の目標入力回転数であり、ｄｌｔｎｉｎは、無段変速機６の実入力回転数の変化率であり、Ｋは定数である。ここで、定数Ｋの算出方法としては、第１の算出方法および第２の算出方法がある。
【００８２】
第１の算出方法においては、ステップＳ３５と同様にして、油圧室１５から排出されるオイルの流量、または油圧室１５に供給されるオイルの流量が予測されるとともに、予測されたオイルの流量と、過給圧に応じたエンジントルクの応答感度とをパラメータとする２次元マップに基づいて、定数Ｋが算出される。これに対して、第２の算出方法では、エンジン回転数が略一定である場合における定数を、過給圧に応じたエンジントルクの応答感度で除算して、定数Ｋが算出される。なお、エンジン回転数が略一定である場合における定数は、油圧室１５から排出されるオイルの流量、または油圧室１５に供給されるオイルの流量を予測するとともに、予測されたオイルの流量と、エンジン回転数が略一定である場合におけるエンジントルクの応答感度とをパラメータとする２次元マップに基づいて算出される。
【００８３】
上記のステップＳ４５についで、復帰制御開始条件が成立したか否かが判断され（ステップＳ４６）、ステップＳ４６で否定的に判断された場合は、このプログラムを終了する。これに対して、ステップＳ４６で肯定的に判断された場合は、トルクダウン制御またはトルクアップ制御を終了して、変速終了後における目標エンジントルクに復帰させる制御が開始され（ステップＳ４７）、このプログラムを終了する。また、前記ステップＳ４０で肯定的に判断された場合は、ファーストトルクアップ制御またはファーストトルクダウン制御を終了し（ステップＳ４８）、このプログラムを終了する。
【００８４】
以上のように、ステップＳ３１の処理、ステップＳ３８の処理、ステップＳ４２ないしステップＳ４８の処理を実行することにより、トルクダウン量またはトルクアップ量が、過給圧に応じて設定されるため、過給状態に関わりなく、無段変速機６の変速に伴うショックの増加を抑制することが可能である。また、図５の制御例においては、エンジントルク応答性を予測し、その予測結果に基づいて、無段変速機６の変速速度を設定し、かつ、復帰制御の開始タイミングが設定される。
【００８５】
このため、単に過給圧をパラメータとして、エンジントルクのダウン量またはエンジントルクのアップ量を設定する比較例の制御と、この実施例の制御とを比較すると、この実施例の制御の方が、エンジントルクの変化と、ベルト式無段変速機の変速に伴う制動トルクまたは慣性トルクとの対応関係を高精度に調整することができる。より具体的には、無段変速機６の変速に伴う制動トルクまたは慣性トルクの発生タイミングと、エンジントルクのダウンまたはアップ制御を終了する復帰制御の開始タイミングとがずれることを回避可能であり、ベルト式無段変速機の変速に伴うショックを一層確実に低減することができる。さらに、エンジントルクの応答性を予測する場合に、エンジントルクを制御するシステムの経年変化や、個々の車両におけるシステムの特性のバラツキを学習制御するため、無段変速機６の変速に伴うショックを一層確実に抑制可能である。
【００８６】
ここで、図５に示された機能的手段と、請求項５に係る発明との対応関係を説明すれば、ステップＳ３１が、この発明の応答性予測手段に相当し、ステップＳ３４およびステップＳ３５およびステップＳ３７が、この発明の変速特性制御手段に相当する。また、無段変速機６の変速開始ディレイ時間、言い換えれば、無段変速機６における変速開始タイミング、無段変速機６における変速速度などが、請求項５の発明における無段変速機の変速特性に相当する。さらに、エンジンおよびモータ・ジェネレータが、この発明における動力源に相当し、電子スロットルバルブ７、燃料噴射量制御装置２５、点火時期制御装置２６、バルブ制御装置２７、過給器３０が、この発明のトルク制御装置に相当する。
【００８７】
なお、図４の車両Ｖｅが、動力源としてエンジンおよびモータ・ジェネレータを有し、エンジントルクおよびモータ・ジェネレータのトルクを共に車輪に伝達することの可能なハイブリッド車である場合に、図５に示す制御を実行することも可能である。この場合は、エンジントルクダウン制御またはエンジントルクアップ制御と並行して、モータ・ジェネレータを電動機として起動し、そのモータ・ジェネレータのトルクをダウンまたはアップする制御を実行可能である。さらに、エンジントルクをダウンさせる制御と並行して、モータ・ジェネレータを発電機として起動させ、そのモータ・ジェネレータの発電トルク（回生トルク）を制御することも可能である。このようなハイブリッド車の場合、モータ・ジェネレータには蓄電装置およびインバータが接続されて、モータ・ジェネレータのトルクが制御される。したがって、インバータおよび蓄電装置が、この発明のトルク制御装置となる。
【００８８】
このように、エンジントルクの制御と並行して、モータ・ジェネレータのトルクを制御するとともに、図５の制御を実行する場合は、エンジントルクの応答性に加えて、モータ・ジェネレータの電動機としてのトルクおよび応答性、または発電機としてのトルクおよび応答性をも考慮して、図５に示された各処理を実行することとなる。また、図５の制御プログラムは、無段変速機６として、ベルト式無段変速機に代えて、トロイダル式無段変速機を有する車両でも実行可能である。
【図面の簡単な説明】
【００８９】
【図１】この発明の制御装置による制御例を説明するためのフローチャートである。
【図２】この発明の制御装置による他の制御例を説明するためのフローチャートである。
【図３】図２の制御例に対応するタイムチャートである。
【図４】この発明の制御装置を適用可能な車両のパワートレーンおよび制御系統を示す概念図である。
【図５】この発明の制御装置による他の制御例を説明するためのフローチャートである。
【符号の説明】
【００９０】
１…動力源（エンジン、モータ・ジェネレータ）、  ６…無段変速機、  ７…電子スロットルバルブ、  ２２…電子制御装置、  ２５…燃料噴射量制御装置、  ２６…点火時期制御装置、  ２７…バルブ制御装置、  ３０…過給器。
【図１】
2005132329.tif 000003
【図２】
2005132329.tif 000004
【図３】
2005132329.tif 000005
【図４】
2005132329.tif 000006
【図５】
2005132329.tif 000007